(57)【特許請求の範囲】
【請求項１】
機器表面を外装する外装体と、
前記外装体の内部に電子部品を備えて構成された機器内構造体と、
前記外装体と前記機器内構造体との間の空間に配置された、前記外装体を構成する構成部品相互の間の隙間を覆う吸水素材と、
前記吸水素材に吸水された水分を前記空間から前記外装体の外部に排気する、前記隙間で構成されている排気部と
を備える電子機器。
【請求項２】
請求項１に記載の電子機器において、
前記外装体の表面に現れる操作部とその操作部周囲を囲む前記外装体の縁との間の第２の隙間を覆う前記空間に配置された第２の吸水素材と、
第２の前記隙間から構成されている第２の排気部とを備えることを特徴とする電子機器。
【請求項３】
請求項１に記載の電子機器において、
前記機器内構造体に備えられた発光部から前記外装体を介して機器外へ出射される光が前記空間において機器内に漏光するのを遮断する位置に配置された第３の吸水素材と、
第３の前記吸水素材近傍の前記外装体に設けられた開口部から構成されている第３の排気部とを備えることを特徴とする電子機器。
【請求項４】
請求項１に記載の電子機器において、
表示面が前記外装体の表面に現れる表示装置と前記表示面周囲を囲む前記外装体の縁との間の第３の隙間を塞ぐ前記空間に配置された第４の吸水素材と、
第３の前記隙間で構成されている第４の排気部とを備えることを特徴とする電子機器。
【請求項５】
請求項１または請求項３または請求項４に記載の電子機器において、
前記吸水素材は、前記外装体と前記機器内構造体との間に生じる衝撃を緩衝する緩衝材を兼用していることを特徴とする電子機器。
【発明の詳細な説明】
【技術分野】
【０００１】
本発明は、機器表面を外装する外装体を備えた電子機器に関する。
【背景技術】
【０００２】
従来、この種の電子機器としては、例えば、特許文献１に開示されたページャーがある。このページャーの筐体は、上部ケース、下部ケースおよび電池蓋から構成されている。これら上部ケース、下部ケースおよび電池蓋は、外側のエラストマやウレタンゴム等の緩衝材による適宜の着色が施された不透明な弾性部材と、内側のポリカーボネイトの硬質樹脂による透明部材とが一体成形されて、形成されている。ページャーは、弾性部材の表示窓から内側の透明部材を外部に露出させることにより、表示窓に対する防水性を得ている。
【先行技術文献】
【特許文献】
【０００３】
【特許文献１】特開平１０−７９５８２号公報
【発明の概要】
【発明が解決しようとする課題】
【０００４】
しかしながら、特許文献１に開示されたページャーのように防水対策が施された電子機器は、上部ケース、下部ケースおよび電池蓋等の筐体構成部品相互の接合部から、電子機器内部に水分が一旦侵入すると、電子機器外部に排出することが困難であった。
【課題を解決するための手段】
【０００５】
本発明はこのような課題を解決するためになされたもので、
機器表面を外装する外装体と、
外装体の内部に電子部品を備えて構成された機器内構造体と、
外装体と機器内構造体との間の空間に配置された、外装体を構成する構成部品相互の間の隙間を覆う吸水素材と、
吸水素材に吸水された水分を上記空間から外装体の外部に排気する、上記隙間で構成されている排気部とを備え、電子機器を構成した。
【０００６】
本構成によれば、電子機器内部に水分が侵入しても、外装体と機器内構造体との間の空間に配置された、外装体を構成する構成部品相互の間の隙間を覆う吸水素材により、電子機器内部に侵入した水分が吸水され、吸水された水分は、外装体を構成する構成部品相互の間の隙間で構成されている排気部を介して機器外部に排出される。このため、電子機器内部に水分が侵入しても、侵入した水分を電子機器外部に効率的に排出することができ、機器内構造体に備えられた電子部品の動作が電子機器内部に侵入する水分によって悪影響を受けるのを防止することができる。
【０００７】
また、本発明は、外装体の表面に現れる操作部とその操作部周囲を囲む外装体の縁との間の第２の隙間を覆う上記空間に配置された第２の吸水素材と、
第２の上記隙間から構成されている第２の排気部とを備えることを特徴とする。
【０００８】
本構成によれば、電子機器内部に侵入する水分は、外装体の表面に現れる操作部とその操作部周囲を囲む外装体の縁との間の第２の隙間を覆う吸水素材にも吸水され、第２の排気部を構成する第２の上記隙間から外装体の外部に排気される。
【０００９】
また、本発明は、機器内構造体に備えられた発光部から外装体を介して機器外へ出射される光が上記空間において機器内に漏光するのを遮断する位置に配置された第３の吸水素材と、
第３の吸水素材近傍の外装体に設けられた開口部から構成されている第３の排気部とを備えることを特徴とする。
【００１０】
本構成によれば、電子機器内部に侵入する水分は、機器内構造体に備えられた発光部から機器外へ出射される光が機器内に漏光するのを遮断する位置に配置された第３の吸水素材にも吸水され、第３の排気部を構成する、吸水素材近傍に設けられた開口部から外装体の外部に排気される。
【００１１】
また、本発明は、表示面が外装体の表面に現れる表示装置と表示面周囲を囲む外装体の縁との間の第３の隙間を塞ぐ空間に配置された第４の吸水素材と、
第３の上記隙間で構成されている第４の排気部とを備えることを特徴とする。
【００１２】
本構成によれば、電子機器内部に侵入する水分は、表示面が外装体の表面に現れる表示装置と表示面周囲を囲む外装体の縁との間の第３の隙間を塞ぐ第４の吸水素材にも吸水され、第４の排気部を構成する第３の上記隙間から外装体の外部に排気される。
【００１５】
また、本発明は、吸水素材が、外装体と機器内構造体との間に生じる衝撃を緩衝する緩衝材を兼用していることを特徴とする。
【００１６】
本構成によれば、吸水素材により、電子機器内部に侵入する水分が吸収されると共に、外装体と機器内構造体との間に加わる衝撃が和らげられ、電子機器内部に侵入する水分および外装体と機器内構造体との間に加わる衝撃から機器内構造体に備えられた電子部品が悪影響を受けるのを防止することができる。
【発明の効果】
【００１７】
本発明による電子機器によれば、上記のように、電子機器内部に水分が侵入しても、侵入した水分を電子機器外部に効率的に排出することができ、機器内構造体に備えられた電子部品の動作が電子機器内部に侵入する水分によって悪影響を受けるのを防止することができる。
【図面の簡単な説明】
【００１８】
【図１】本発明の一実施の形態によるデジタルカメラの外観を示す図である。
【図２】図１に示すデジタルカメラの内部構造を概念的に示した断面図である。
【発明を実施するための形態】
【００１９】
次に、本発明による電子機器をデジタルカメラに適用した場合における、本発明を実施するための一形態について説明する。
【００２０】
図１は、この一実施の形態によるデジタルカメラ１の外観を示す図であり、同図（ａ）はデジタルカメラ１の正面図、同図（ｂ）は側面図、同図（ｃ）は背面図、同図（ｄ）は平面図、同図（ｅ）は底面図である。
【００２１】
電子機器を構成するデジタルカメラ１の筐体２は、機器表面を外装する外装体を構成しており、正面が前カバー２ａ、背面が後カバー２ｂで覆われ、前カバー２ａと後カバー２ｂとの間に中帯２ｃが挟まれている。これら前カバー２ａおよび後カバー２ｂならびに中帯２ｃは、アルミニウムもしくはマグネシウムまたはモールド樹脂などから形成されている。
【００２２】
図２に示すように、筐体２の内部には、電子部品を備えて構成された機器内構造体３が設けられている。図２は、デジタルカメラ１の内部構造を概念的に示した断面図である。機器内構造体３の内部に備えられる図示しない構造物は、ビス４によって機器内構造体３の内壁面に固定される。筐体２と機器内構造体３との間には空間５が設けられており、この空間５には、後述する各種の吸水シート６、およびスポンジ７が配置されている。吸水シート６は筐体２に設けられた排気部８を覆う位置などに備え付けられており、機器外部から機器内部の空間５に侵入する水分は、吸水シート６に吸水され、水蒸気となって排気部８から筐体２の外部へ矢印９で示すように排気される。吸水シート６は、筐体２と機器内構造体３との間の空間５に配置された吸水素材を構成しており、例えば、水分を吸収する黒色をしたシート状の発泡体から形成される。また、スポンジ７は、ビス４が緩んで筐体２内に落下するのを防止するために、ビス４の頭部と筐体２の内壁面との間に備え付けられている。また、筐体２に設けられている図示しない穴は、気体は通すが液体は通さない選択透過性の性質を有するガス分離膜で塞がれている。
【００２３】
図１（ｄ）に示すように、デジタルカメラ１の上面の中帯２ｃには、デジタルカメラ１への電源投入を操作する電源スイッチ１１が設けられている。この電源スイッチ１１の隣には、被写体を撮影する際に操作されるレリーズボタン１２が設けられている。このレリーズボタン１２の周囲には、液晶表示装置４１に表示される撮影画像を拡大、縮小表示させる際などに回転操作されるズームレバー１３が設けられている。また、筐体２の上面と機器内構造体３との間の空間５には、筐体２の表面に現れる電源スイッチ１１およびレリーズボタン１２とその周囲を囲む中帯２ｃの縁との間の隙間８ａ、並びに筐体２を構成する構成部品である前カバー２ａ，後カバー２ｂ，および中帯２ｃ相互の間の隙間８ｂを覆う位置に、吸水シート６ａが配置されている。吸水シート６ａに吸水された水分は、デジタルカメラ１の使用による発熱によって気化し、隙間８ａ，８ｂから筐体２の外部へ排気される。
【００２４】
また、デジタルカメラ１の正面には、同図（ａ）に示すように、被写体からの光をデジタルカメラ１内に取り込む光学系を構成するレンズ２１が設けられている。このレンズ２１の左上方の前カバー２ａには、筐体２の一部を構成するフラッシュ窓２２が設けられている。機器内構造体３に備えられた発光部からこのフラッシュ窓２２を介して被写体にフラッシュ光が出射される。このフラッシュ窓２２の下方の前カバー２ａには、マイク孔８ｃが開口しており、このマイク孔８ｃを介して周囲の音が集音される。また、フラッシュ窓２２の下方の筐体２内の空間５には、発光部からフラッシュ窓２２を介して機器外へ出射される光が、空間５においてフラッシュ窓２２よりも下方の機器内に漏光するのを遮断する位置に、吸水シート６ｂが配置されている。吸水シート６ｂに吸水された水分は、デジタルカメラ１の使用による発熱によって気化し、マイク孔８ｃから筐体２の外部へ排気される。マイク孔８ｃは、吸水シート６ｂ近傍の前カバー２ａに設けられた開口部から構成される排気部を構成している。
【００２５】
また、デジタルカメラ１の左右の各側面には、同図（ａ）および同図（ｂ）に示すように、筐体２を構成する前カバー２ａ，後カバー２ｂ，および中帯２ｃ相互の間の隙間８ｄを覆う空間５に、吸水シート６ｃ，６ｄが配置されている。吸水シート６ｃ，６ｄに吸水された水分は、デジタルカメラ１の使用による発熱によって気化し、隙間８ｄから筐体２の外部へ排気される。
【００２６】
また、デジタルカメラ１の背面には、同図（ｃ）に示すように、表示面が後カバー２ｂの表面に現れるモニタ４１が表示装置として設けられている。このモニタ４１は、ＬＣＤ（Liquid Crystal Display）などからなり、機器内構造体３の一面を構成するＬＣＤ板金に備え付けられる。また、モニタ４１とモニタ４１の表示面周囲を囲む後カバー２ｂの縁との間の隙間８ｅを塞ぐ空間５には、枠状の吸水シート６ｅが配置されている。吸水シート６ｅに吸水された水分は、モニタ４１の使用による発熱によって気化し、隙間８ｅから筐体２の外部へ排気される。
【００２７】
また、モニタ４１の右側には、メニュー画面におけるメニュー項目の選択操作などを行うマルチセレクタ４７が設けられている。マルチセレクタ４７は、方向キー４７ａと決定ボタン４７ｂとから構成されている。方向キー４７ａは、モニタ４１に表示されたメニュー画面において撮影者が設定したい項目を選択する際に、上下左右方向に押下操作される。決定ボタン４７ｂは、撮影者が方向キー４７ａを操作して選択した項目を決定する際に、押下操作される。また、マルチセレクタ４７の周囲には、モードボタン４３、メニューボタン４４、再生表示ボタン４５、および消去ボタン４６が設けられている。モードボタン４３は、モニタ４１に撮影モード選択画面を表示させる際に操作され、メニューボタン４４は、モニタ４１にメニュー画面を表示させる際に操作される。また、再生表示ボタン４５は、撮影した画像データをモニタ４１に再生表示させる際に操作され、消去ボタン４６は、撮影した画像データを消去する際に操作される。後カバー２ｂの表面に現れるこれらボタン４３〜４６およびマルチセレクタ４７の操作部とその操作部周囲を囲む後カバー２ｂの縁との間の隙間８ｆを覆う空間５には、吸水シート６ｆが配置されている。吸水シート６ｆに吸水された水分は、デジタルカメラ１の使用による発熱によって気化し、隙間８ｆから筐体２の外部へ排気される。
【００２８】
また、筐体２の底面には、筐体２の内部に形成されるバッテリー室の開口部を覆うバッテリーカバー５１が、同図（ｅ）に示すように設けられている。このバッテリーカバー５１の機器内面側には、バッテリー室を気密に保つ図示しないゴム性のＯリングを外周側から覆う空間位置に、吸水シート６ｇが配置されている。吸水シート６ｇは、Ｏリング外周の空間内の水分を吸水する。吸水シート６ｇに吸水された水分は、デジタルカメラ１の使用による発熱によって気化し、筐体２とバッテリーカバー５１との間の隙間８ｇから筐体２の外部へ排気される。
【００２９】
また、本実施形態では、上記各吸水シート６ａ，６ｂ，６ｃ，６ｄ，および６ｅは、筐体２と機器内構造体３との間に生じる衝撃を緩衝する緩衝材を兼用している。
【００３０】
このような本実施形態によるデジタルカメラ１によれば、デジタルカメラ１内部に水分が侵入しても、筐体２と機器内構造体３との間の空間５に配置された吸水シート６ａ〜６ｇにより、デジタルカメラ１内部に侵入した水分が吸水される。これら吸水シート６ａ〜６ｇに吸水された水分は、排気部を構成する隙間８ａ，８ｂ，８ｄ，８ｅ，８ｆ，および８ｇならびにマイク孔８ｃを介してデジタルカメラ１外部に排出される。このため、デジタルカメラ１内部に水分が侵入しても、侵入した水分をデジタルカメラ１外部に効率的に排出することができ、機器内構造体３に備えられた電子部品の動作がデジタルカメラ１内部に侵入する水分によって悪影響を受けるのを防止することができる。
【００３１】
また、本実施形態によるデジタルカメラ１によれば、各吸水シート６ａ〜６ｅにより、デジタルカメラ１内部に侵入する水分が吸収されると共に、筐体２と機器内構造体３との間に加わる衝撃が和らげられ、デジタルカメラ１内部に侵入する水分および筐体２と機器内構造体３との間に加わる衝撃から機器内構造体３に備えられた電子部品が悪影響を受けるのを防止することができる。
【００３２】
また、本実施形態によるデジタルカメラ１によれば、上記各吸水シート６ａ〜６ｇは、黒色をしているため、機器外への光の漏洩を防止したり、上記各隙間８ａ，８ｂ，８ｄ，８ｅ，８ｆ，および８ｇを目立たなくすることができる。
【００３３】
また、本実施形態によるデジタルカメラ１によれば、マイク孔８ｃを排気部として兼用させているため、前カバー２ａに排気部用の孔を専用に設ける必要がなくなる。従って、前カバー２ａに不自然な孔を設けずにすみ、外観デザインを損なわずにすむ。
【００３４】
なお、本実施形態においては、筐体２が、前カバー２ａ、後カバー２ｂおよび中帯２ｃで構成される場合について説明したが、本発明はこれに限られることはない。例えば、中帯を備えずに、前カバーと後カバーで構成される筐体に本発明を適用してもよい。
【００３５】
また、本実施形態においては、吸水シート６ａ〜６ｇの色を黒色としたが、他の色、例えば、吸水素材を配置する周囲の部品と同色にしてもよい。この場合においても、隙間を目立たなくさせることができる。
【００３６】
また、本実施形態においては、吸水シート６ａ〜６ｅが、筐体２と機器内構造体３との間に生じる衝撃を緩衝する緩衝材を兼用している場合について説明したが、本発明はこれに限られることはない。これら吸水シート６ａ〜６ｅが緩衝材を兼用しておらず、また、例えば、ビス４の落下を防止するスポンジ７を、緩衝材を兼用する吸水シートで構成してもよい。
【００３７】
また、本実施形態においては、バッテリーカバー５１裏面のＯリング周囲の空間にある水分を吸水シート６ｇによって隙間８ｇから排気する構成について説明したが、吸水シート６ｇの外周側のバッテリーカバー５１にガス分離膜で覆った排気孔を設け、この排気孔からも水分を筐体２外部に排気する構成にしてもよい。
【００３８】
また、本実施形態においては、バッテリーカバー５１裏面のＯリングの外周側に吸水シート６ｇを設けた構成について説明したが、例えば、ＵＳＢ端子やビデオ出力端子などが設けられた部分を覆うカバー裏面のＯリングの外周側に、同様に吸水シートを設けてもよい。
【００３９】
上記のような各構成においても、本実施形態と同様の作用・効果が奏される。
【産業上の利用可能性】
【００４０】
上記実施形態においては、本発明の電子機器をデジタルカメラに適用した場合について説明したが、携帯電話機や、携帯型録音再生機等のその他の電子機器にも適用することが可能である。このような電子機器に本発明を適用した場合においても、上記実施形態と同様な作用効果が奏される。
【符号の説明】
【００４１】
１…デジタルカメラ
２…筐体
２ａ…前カバー
２ｂ…後カバー
２ｃ…中帯
３…機器内構造体
６ａ〜６ｇ…吸水シート
８ａ，８ｂ，８ｄ，８ｅ，８ｆ，８ｇ…隙間
８ｃ…マイク孔
４１…モニタ
１１〜１３，４３〜４７…操作部
５１…バッテリーカバー
【図１】
0005504844.tif 000002
【図２】
0005504844.tif 000003